(57)【要約】      （修正有）【課題】導波管において、インピーダンス調整を行うために使用される容量性ポストの挿入量と挿入位置の変更を容易に行える小型インピーダンス調整器を提供する。【解決手段】導波管１０に設けられた長穴に、容量性ポストとなるボルト２０を挿入する。ボルトに対して、導波管内からは共回り防止の爪を設けたナット３０、導波管外からは通常のワッシャ４０とナット５０で導波管を挟み固定する。容量性ポストとなるボルトの挿入位置は、長穴に固定する場所によって変更が可能になる。また、ボルトを回すことによって挿入量を変更することが可能になる。以上の仕組みによって、ボルト２０が導波管内の空間に固定されインピーダンス調整が行える。【選択図】図１
0003137037.tif 000002
【実用新案登録請求の範囲】
【請求項１】
導波管の一部に取り付けた金属でできた容量性ポストによるインピーダンス調整器において、容量性ポストとしてボルトを使用し、導波管の一部に長穴を設け、爪付きナットとワッシャとナットによって、導波管に設けられた長穴に当該ボルトを固定する構造を有するインピーダンス調整器。
【考案の詳細な説明】
【技術分野】
【０００１】
本考案は、導波管の一部に取り付けた金属でできた容量性ポストによる小型インピーダンス調整器に関するものである。
【背景技術】
【０００２】
導波管を入出力線路とするサーキュレータやダミーロード等の導波管機能部品では、組み立て部品の精度等によって、各ポートのインピーダンス整合が取れていないことが多い。したがって、組み立て後にインピーダンスを調整するために、誘導性（Ｌ性）窓や容量性（Ｃ性）ポストを使用し、各ポートが規定の反射係数以下になるようにインピーダンス調整を行っている。
【０００３】
従来の導波管に取り付けた容量性ポストによるインピーダンス調整として、実開平５−２５８０３号（インピーダンス調整ネジ付き導波管回路）が知られている。
【０００４】
前掲の実用新案は、導波管にメネジを切り、ボルトを容量性ポストとして挿入する方法で行われている。これは次に示す問題がある。
【０００５】
肉厚２ｍｍほどの薄いアルミや銅等の導波管に直接メネジを切ることは、強度が弱いため好ましくなく、導波管上にある程度の肉厚のあるアルミ板等を溶接しなければならない。さらに、挿入量の変更は導波管の外からボルトを回すことでできるが、挿入位置の変更は、別の場所に再度メネジを切り直すしかない。
【０００６】
別の場所に、再度メネジを切り直すことを少なくする方法として、複数のメネジを設けたスタブ型のインピーダンス調整手段が知られている。
【０００７】
スタブ型のインピーダンス調整手段と利用例は、特開平５−２９９０２４号（マグネトロン応用装置）が挙げられる。
【０００８】
前掲の先行特許では、調整箇所である容量性ポストが複数になり、相互関係についてスミスチャートを作図しながらインピーダンス調整をすることになり、調整が複雑になる。
【特許文献１】実開平５−２５８０３号公報
【特許文献２】特開平５−２９９０２４号公報
【考案の開示】
【考案が解決しようとする課題】
【０００９】
解決しようとする課題は、導波管において、インピーダンス調整を行うために使用される容量性ポストの挿入量と挿入位置の変更を容易に行えるようにすることである。
【課題を解決するための手段】
【００１０】
導波管に設けられた１つの長穴に、容量性ポストとなるボルトを挿入する。ボルトに対して、導波管内からは共回り防止の爪を設けたナット、導波管外からは通常のナットで導波管を挟み固定する。なお、共回り防止の爪を長穴に入れることによって、導波管外に出ているボルトを回しても、導波管内のナットが共回りすることを防止する。
【００１１】
容量性ポストとなるボルトの挿入位置は、長穴に固定する場所によって変更する。また、ボルトを回すことによって挿入量を変更する。
【００１２】
挿入位置と挿入量が決まれば、ボルト上部に設けたスリットにマイナスドライバー等の工具を差し込み一時的に固定し、導波管外にあるナットを回して導波管に固定する。
【００１３】
導波管内にあるナットには、共回り防止の爪が長穴に引っかかることで共回りを起こすことなく、ボルトの一時的な固定と導波管外にあるナットを回して締め付けることによって、ボルトが固定される。
【００１４】
以上の機構と利用法によって、容量性ポストとして機能するボルトが導波管内の所望の位置に、所望の長さで固定され、インピーダンス調整が行える。
【考案の効果】
【００１５】
容量性ポストであるボルトの挿入量と挿入位置の変更が容易に行えることによって、インピーダンス調整が容易に行える利点がある。
【考案を実施するための最良の形態】
【００１６】
本考案の容量性ポストによる小型インピーダンス調整器は、サーキュレータやダミーロードなどの導波管機能部品におけるインピーダンス調整に使用されるものである。
【００１７】
全体の構成を図１で説明し、詳細を図２で説明する。
【００１８】
図１を説明する。図１の導波管１０は、中空の直方体であり金属でできている。フランジ１１は、導波管１０に溶接等で接続されているもので、他の導波管との接続に用いられる。ボルト２０は、ナットと組んで用いられるオネジ部品であり、本考案において容量性ポストとして機能する。以下、２０を六角ボルトを用いたものとして説明する。
【００１９】
金属のボルト２０を上下に移動させ固定するために、爪付きナット３０がある。３０は金属の板であり、ボルト２０に嵌合するメネジが設けられている。
【００２０】
ワッシャ４０は、ボルト２０が入る程度の穴を持つ金属の円形の板であり、電磁波漏洩を防止するためにある。したがって、電磁波漏洩を防止する機能があれば、４０は多角形の板でもよい。
【００２１】
ナット５０と爪付きナット３０によって、ボルト２０を導波管１０に挟み込み固定する。ナット５０は、図では六角ナットとしたが、四角ナット、つまみナット等でもよい。
【００２２】
図２を用いて、構造を詳細に説明する。
【００２３】
図２は図１の分解斜視図である。導波管１０には、長穴１２があけられている。ボルト２０には、ボルト２０を回転させるためのスリット２１が設けられている。爪付きナット３０は、爪部３１とメネジ３２がある。ワッシャ４０とナット５０は導波管１０の外部にある。
【００２４】
各部品の関係を説明する。
【００２５】
ボルト２０は、導波管１０にあけられた長穴１２に入れ、ナット５０と爪付きナット３０で導波管１０を挟み固定する。長穴１２はＷ×Ｄの寸法であり、Ｗはボルト２０の固定位置を調整可能にする範囲であり、Ｄはボルト２０が入る程度の大きさである。
【００２６】
爪付きナット３０には、ボルト２０を通すメネジ３２と爪部３１がある。
【００２７】
爪付きナット３０の全体の大きさは、長穴１２のＤより大きくすることで、１２に落ち込まないようにする。
【００２８】
爪部３１の幅は、Ｄより少し小さくすることによって、導波管１０にあけられた長穴１２に入れられる。また、爪部３１の高さは導波管１０の肉厚より少し小さくすることによって、ワッシャ４０に直接接触しないようにする。
【００２９】
爪付きナット３０に設けられたメネジ３２は、中央付近の爪部３１に近い位置が望ましい。特に、爪部３１とメネジ３２の距離が離れている場合、長穴１２内でのボルト２０の可動範囲が狭くなるのでできるだけ近い方が望ましい。
【００３０】
爪付きナット３０を金属や誘電体で製作した場合、爪付きナット３０の厚みが容量性ポストの一部となるため、極力薄くすることが望ましい。
【００３１】
ワッシャ４０は、ナット５０と導波管１０との間に挟まれた状態で置かれ、長穴１２を物理的に塞ぎ電磁波漏れを防ぐ。したがって、４０の大きさは、半径で長穴１２のＷ以上あればよい。
【００３２】
以上のような構造によって、容量性ポストの機能を有するボルト２０が導波管内の空間に固定されインピーダンス調整が行える。
【産業上の利用可能性】
【００３３】
本考案によって、導波管においてインピーダンス調整をする場合、従来のスタブ型のインピーダンス調整手段のように複数の容量性ポストを調整する必要がなくなり、１本のボルトによって、導波管内における伝播周波数に応じた最適位置に固定することが可能になる。
【００３４】
また、導波管の加工は長穴を設ける加工だけで済み、インピーダンス調整器の使用部品として、一般に広く使われているボルト、爪付きナット、ワッシャ、ナットを利用できるため、製作費用が安価である。
【００３５】
よって、インピーダンス調整器を構成する部品が容易に入手できるだけでなく、サーキュレータやダミーロード等の導波管機能部品の各ポートに本考案のインピーダンス調整器の機構を設けることによって、導波管機能部品のインピーダンス調整が容易になる。
【図面の簡単な説明】
【００３６】
【図１】本願考案の実施例１に係る可動式容量性ポストの概略構成図である
【図２】図１における容量性ポスト構成部材の分解斜視図である
【符号の説明】
【００３７】
１０  導波管
１１  フランジ
１２  長穴
２０  ボルト
２１  スリット
３０  爪付きナット
３１  爪部
３２  メネジ
４０  ワッシャ
５０  ナット
【図１】
0003137037.tif 000003
【図２】
0003137037.tif 000004